(57)【要約】【課題】情報端末に携帯者の好みに合った庫内映像を表示すること。【解決手段】撮像器が庫内映像を撮像する場合の庫内灯の発光色または明るさを通信手段が受信する情報端末からの指令の内容に応じて制御する。【選択図】図５
2019032159.tif 000002
【特許請求の範囲】
【請求項１】
貯蔵室内を照明する庫内灯と、
前記貯蔵室内の映像である庫内映像を撮像する撮像器と、
前記庫内灯を電気的に制御するものであって、前記撮像器が庫内映像を撮像する場合に前記庫内灯を点灯状態とする制御手段と、を備え、
前記制御手段は、前記撮像器が庫内映像を撮像する場合に前記庫内灯の発光色または明るさを制御する冷蔵庫。
【請求項２】
外部の情報端末からの指令の内容を記憶する記憶手段を更に備え、
使用者が前記情報端末を操作することで前記庫内灯の照度を規定したものである照度情報又は前記庫内灯の発光色を規定したものである発光色情報を変更した場合、
前記記憶手段は、変更された前記照度情報又は前記発光色情報を記憶する、
請求項１記載の冷蔵庫。
【請求項３】
前記撮像器が庫内映像を撮像する場合、前記制御手段は、変更された前記照度情報の照度又は前記発光色情報の発光色で前記庫内灯を点灯状態にする、
請求項２記載の冷蔵庫。
【請求項４】
前記撮像器を駆動させて撮像した後に使用者が前記情報端末を操作することで前記照度情報又は前記発光色情報を変更した場合、前記制御手段は、変更した前記照度情報の照度又は前記発光色情報の発光色で前記庫内灯を点灯状態にして再び前記撮像器を駆動させて撮像する、
請求項３に記載の冷蔵庫。
【請求項５】
前記庫内灯を複数備え、
各前記庫内灯は、照度又は発光色を制御することができる光源をそれぞれ複数有しており、
前記制御手段は、前記光源ごとに照度又は発光色を制御することができる、
請求項１から４のいずれか１項に記載の冷蔵庫。
【請求項６】
貯蔵室内を照明する庫内灯と、
前記貯蔵室内の映像である庫内映像を撮像する撮像器と、
前記庫内灯を電気的に制御するものであって、前記撮像器が庫内映像を撮像する場合に前記庫内灯を点灯状態とする制御手段と、
前記撮像器による庫内映像の撮像結果を外部に送信する通信手段と、
前記通信手段からの庫内映像の撮像結果を外部の通信回線を通して受信することに応じて当該庫内映像の撮像結果を表示するものであって、前記通信手段に指令を送信可能な情報端末と、を備え、
前記制御手段は、前記撮像器が庫内映像を撮像する場合の前記庫内灯の発光色または明るさを前記通信手段が外部の通信回線を通して受信する前記情報端末からの指令の内容に応じて制御するものである、
家電ネットワークシステム。
【発明の詳細な説明】
【技術分野】
【０００１】
本発明の実施例は冷蔵庫および家電ネットワークシステムに関する。
【背景技術】
【０００２】
冷蔵庫には撮像器を備えたものがある。この撮像器は貯蔵室内の映像である庫内映像を庫内灯の点灯状態で撮像するものであり、庫内映像の撮像結果はインターネット網を介して情報端末に送信される。この情報端末は冷蔵庫の所有者が携帯するものであり、庫内映像の撮像結果を受信することに応じて自身の表示器に表示する。
【先行技術文献】
【特許文献】
【０００３】
【特許文献１】特開２０１２−２２６７４８号公報
【発明の概要】
【発明が解決しようとする課題】
【０００４】
従来の冷蔵庫の場合には庫内映像を撮像するときに庫内灯を一定の照度および一定の発光色で点灯状態としていたので、情報端末の庫内映像の見栄えが画一化される傾向にあった。
【課題を解決するための手段】
【０００５】
実施例の冷蔵庫は、貯蔵室内を照明する庫内灯と、前記貯蔵室内の映像である庫内映像を撮像する撮像器と、前記庫内灯を電気的に制御するものであって、前記撮像器が庫内映像を撮像する場合に前記庫内灯を点灯状態とする制御手段と、を備える。前記制御手段は、前記撮像器が庫内映像を撮像する場合に前記庫内灯の発光色または明るさを制御する。
【図面の簡単な説明】
【０００６】
【図１】実施例１を示す図（冷蔵庫を示す図）
【図２】冷蔵庫の電気的な構成を示す図
【図３】冷蔵室を示す図（ａはＸａ視図、ｂはＸｂ線に沿う断面図）
【図４】冷蔵庫のネットワークを示す図
【図５】通信制御回路の撮像処理を示す図
【図６】情報端末の画面を示す図
【図７】実施例２を示す図５相当図
【図８】図６相当図
【図９】実施例３を示す図５相当図
【図１０】図６相当図
【発明を実施するための形態】
【実施例１】
【０００７】
図１の冷蔵庫１は冷蔵室２が形成されたものである。この冷蔵庫１は冷凍サイクル３（図２参照）を有しており、冷蔵室２内には冷凍サイクル３から冷気が供給される。この冷蔵室２は前面が開口するものであり、貯蔵室に相当する。この冷蔵室２の前方には左扉４および右扉５が装着されている。左扉４は左端部の垂直な軸を中心に回転可能にされたものであり、右扉５は右端部の垂直な軸を中心に回転可能にされたものであり、冷蔵室２の前面は左扉４および右扉５が回転操作されることに応じて開閉される。この冷蔵室２内には複数の棚板６が装着されている。これら複数の棚板６は上下方向に間隔を置いて配列された透明なものであり、複数の棚板６のそれぞれの上面には食品が載置される。
【０００８】
左扉４および右扉５のそれぞれには、図１に示すように、３つのドアポケット７が上下方向に間隔を置いて固定されている。これら計６つのドアポケット７は食品が収納される透明なものであり、左扉４の３つのドアポケット７は左扉４の閉鎖状態で冷蔵室２内に収納され、右扉５の３つのドアポケット７は右扉５の閉鎖状態で冷蔵室２内に収納される。
【０００９】
冷蔵室２内には、図３に示すように、チルド室８が形成されている。このチルド室８は前面が開口するものであり、冷蔵室２内の最低部に配置されている。このチルド室８内には、図１に示すように、２つのチルド容器９が左右方向に並べて配置されている。これら２つのチルド容器９は食品が収納される透明なものであり、チルド室８内に収納された収納状態およびチルド室８内から前へ引出された引出し状態間で前後方向へスライド可能にされている。
【００１０】
冷蔵室２内には、図３に示すように、上庫内灯１０が固定されている。この上庫内灯１０は冷蔵室２の上面に配置されたものであり、前後方向に並ぶ複数の上ＬＥＤ１１および複数の上ＬＥＤ１１を下から覆う透光性のレンズ１２を有している。これら複数の上ＬＥＤ１１は上から下へ白色光を投射する白色ＬＥＤからなるものであり、冷蔵室２内は複数の上ＬＥＤ１１が発光することに応じて上から照明される。これら複数の上ＬＥＤ１１のそれぞれは光源に相当し、上庫内灯１０は庫内灯に相当する。
【００１１】
冷蔵室２内には、図３に示すように、左庫内灯１３が固定されている。この左庫内灯１３は冷蔵室２の左側面に配置されたものであり、前後方向に並ぶ複数の左ＬＥＤ１４および複数の左ＬＥＤ１４を右から覆う透光性のレンズ１５を有している。これら複数の左ＬＥＤ１４は左から右へ白色光を投射する白色ＬＥＤからなるものであり、冷蔵室２内は複数の左ＬＥＤ１４が発光することに応じて左から照明される。これら複数の左ＬＥＤ１４のそれぞれは光源に相当し、左庫内灯１３は庫内灯に相当する。
【００１２】
冷蔵室２内には、図３に示すように、右庫内灯１６が固定されている。この右庫内灯１６は冷蔵室２の右側面に配置されたものであり、前後方向に並ぶ複数の右ＬＥＤ１７および複数の右ＬＥＤ１７を左から覆う透光性のレンズ１８を有している。これら複数の右ＬＥＤ１７は右から左へ白色光を投射する白色ＬＥＤからなるものであり、冷蔵室２内は複数の右ＬＥＤ１７が発光することに応じて右から照明される。これら複数の右ＬＥＤ１７のそれぞれは光源に相当し、右庫内灯１６は庫内灯に相当する。
【００１３】
冷蔵室２内には、図３に示すように、下庫内灯１９が固定されている。この下庫内灯１９はチルド室８の上面に配置されたものであり、前後方向に並ぶ複数の下ＬＥＤ２０および複数の下ＬＥＤ２０を下から覆う透光性のレンズ２１を有している。これら複数の下ＬＥＤ２０は上から下へ白色光を投射する白色ＬＥＤからなるものであり、チルド室８内は複数の下ＬＥＤ２０が発光することに応じて上から照明される。これら複数の下ＬＥＤ２０のそれぞれは光源に相当し、下庫内灯１９は庫内灯に相当する。
【００１４】
冷蔵庫１には、図２に示すように、運転制御回路２２およびＬＥＤ回路２３が内蔵されている。運転制御回路２２はＣＰＵとＲＯＭとＲＡＭを有するものであり、冷凍サイクル３の駆動源を電気的に制御することに応じて冷蔵室２内に冷気を供給する。ＬＥＤ回路２３は複数の上ＬＥＤ１１と複数の左ＬＥＤ１４と複数の右ＬＥＤ１７と複数の下ＬＥＤ２０のそれぞれに対して１つのＬＥＤ毎にＰＷＭ信号を出力するものであり、運転制御回路２２はＬＥＤ回路２３を電気的に制御することに応じてＰＷＭ信号のデューティ比を１つのＬＥＤ毎に調整し、ＰＷＭ信号のデューティ比を１つのＬＥＤ毎に調整することに応じて上庫内灯１０と左庫内灯１３と右庫内灯１６と下庫内灯１９のそれぞれの明るさを制御する。この運転制御回路２２は制御手段および記憶手段に相当する。
【００１５】
図２の左扉センサ２４は左扉４が閉鎖されているか否かに応じて電気的な状態が変化するものであり、運転制御回路２２は左扉センサ２４の電気的な状態に応じて左扉４が閉鎖されているか否かを判断する。右扉センサ２５は右扉５が閉鎖されているか否かに応じて電気的な状態が変化するものであり、運転制御回路２２は右扉センサ２５の電気的な状態に応じて右扉５が閉鎖されているか否かを判断し、左扉４および右扉５の双方が閉鎖されていると判断した場合に複数の上ＬＥＤ１１と複数の左ＬＥＤ１４と複数の右ＬＥＤ１７と複数の下ＬＥＤ２０を消灯状態とする。
【００１６】
運転制御回路２２のＲＡＭには照度情報が記録されている。この照度情報は複数の上ＬＥＤ１１と複数の左ＬＥＤ１４と複数の右ＬＥＤ１７と複数の下ＬＥＤ２０のそれぞれに対して１つのＬＥＤ毎に照度を規定したものであり、運転制御回路２２は左扉４および右扉５の少なくとも一方が閉鎖されていないと判断した場合に複数の上ＬＥＤ１１〜複数の下ＬＥＤ２０を１つのＬＥＤ毎にＲＡＭの照度情報に応じた照度で発光状態とする。この運転制御回路２２のＲＯＭには照度として初期値Ｉｘｉが予め記録されており、初期状態ではＲＡＭの照度情報の全ての照度が初期値Ｉｘｉに設定されることに応じて複数の上ＬＥＤ１１〜複数の下ＬＥＤ２０が照度Ｉｘｉで発光状態とされる。
【００１７】
冷蔵庫１には、図２に示すように、通信制御回路２６が内蔵されている。この通信制御回路２６は配線を介して運転制御回路２２との間で情報を送受信するものであり、ＣＰＵとＲＯＭとＲＡＭを有している。この通信制御回路２６は、図４に示すように、ルータ２７を介してインターネット網からなる外部の通信回線２８に接続されており、外部の情報端末２９との間でルータ２７および通信回線２８を介して情報を送受信する。この通信制御回路２６は通信手段に相当する。
【００１８】
情報端末２９は冷蔵庫１の所有者が携帯するものであり、スマートフォンまたはタブレット型パソコンから構成されている。この情報端末２９は、図４に示すように、液晶表示器３０を有するものであり、液晶表示器３０の表面には透明なタッチパネルが装着されている。この液晶表示器３０は撮像用のキー映像が表示されるものであり、撮像用のキー映像がタッチパネルを介してタッチされた場合には情報端末２９から通信回線２８を通して通信制御回路２６に撮像コマンドが送信される。
【００１９】
右扉５には、図１に示すように、撮像カメラ３１が固定されており、撮像カメラ３１は通信制御回路２６に配線を介して接続されている。この撮像カメラ３１は右扉５の閉鎖状態での後面に配置されたものであり、レンズおよびイメージセンサを有している。この撮像カメラ３１は右扉５の閉鎖状態で冷蔵室２内を被写体とする庫内映像Ｐ（図６参照）を撮像するものであり、撮像カメラ３１の画角は右扉４の閉鎖状態で冷蔵室２内の左右方向および上下方向の全域に設定されている。この撮像カメラ３１は撮像器に相当する。
【００２０】
通信制御回路２６は撮像カメラ３１を電気的に制御することに応じてカラーの庫内映像Ｐを撮像し、撮像カメラ３１から庫内映像Ｐの撮像結果をカラーの映像信号として取得するものである。この通信制御回路２６は映像信号を可逆圧縮形式のアルゴリズムによって圧縮することで庫内映像データを設定するものであり、庫内映像データの設定結果をルータ２７および通信回線２８を通してサーバ３２（図４参照）に送信する。このサーバ３２は通信制御回路２６からの庫内映像データを情報端末２９に対応付けて記録するものであり、情報端末２９はサーバ３２から通信回線２８を通して庫内映像データを取得する。
【００２１】
図５の撮像処理は通信制御回路２６のＣＰＵが情報端末２９からの撮像コマンドを受信した場合に起動するものであり、ＣＰＵは撮像処理を起動した場合にはステップＳ１でドア閉情報が有るか否かを判断する。このドア閉情報は運転制御回路２２が左扉４および右扉５の双方が閉鎖されていると判断している場合に通信制御回路２６に送信するものであり、ＣＰＵは左扉４および右扉５の少なくとも一方が閉鎖されていない状態ではステップＳ１でドア閉情報がないと判断してステップＳ２へ移行する。
【００２２】
ＣＰＵはステップＳ２へ移行すると、ルータ２７および通信回線２８を通して情報端末２９に撮像不能コマンドを送信する。この情報端末２９は撮像不能コマンドを受信した場合に（撮像できません！！）のメッセージを液晶表示器３０に表示するものであり、左扉４および右扉５の少なくとも一方が閉鎖されていない状態では情報端末２９を使って庫内映像Ｐを取得することが不能となる。
【００２３】
ＣＰＵは左扉４および右扉５の双方が閉鎖されている状態ではステップＳ１で運転制御回路２２からのドア閉情報が有ると判断し、ステップＳ３で運転制御回路２２に点灯コマンドを送信する。この運転制御回路２２は点灯コマンドを受信した場合にＲＡＭから照度情報を検出するものであり、照度情報を検出した場合には複数の上ＬＥＤ１１〜複数の下ＬＥＤ２０を１つのＬＥＤ毎に照度情報の照度で点灯状態とする。即ち、冷蔵室２内は撮像カメラ３１によって庫内映像Ｐを撮像する場合に運転制御回路２２の照度情報に応じた照度で照明されるものであり、使用者が左扉４または右扉５を開放した場合にも庫内映像Ｐの撮像時と同一の照度情報に応じて庫内映像Ｐの撮像時と同一の明るさで照明される。
【００２４】
ＣＰＵはステップＳ３で点灯コマンドを送信すると、ステップＳ４で撮像カメラ３１を駆動することで冷蔵室２内を撮像する。そして、ステップＳ５で撮像カメラ３１からの映像信号を取得し、ステップＳ６で映像信号の取得結果を圧縮することで庫内映像データを設定し、ステップＳ７で庫内映像データの設定結果をサーバ３２に通信回線２８を通して送信する。このサーバ３２は庫内映像データを受信した場合に庫内映像データの受信結果を対応する情報端末２９に送信するものであり、情報端末２９は庫内映像データを受信した場合に自信の液晶表示器３０に庫内映像Ｐを庫内映像データの受信結果に応じて表示する。
【００２５】
図６は情報端末２９の液晶表示器３０に表示される庫内映像Ｐである。この庫内映像Ｐは撮像カメラ３１が取得した冷蔵室２内の映像であり、冷蔵室２の壁面を模した縦長な四角形のウィンドＷｉ内に表示される。この庫内映像Ｐは複数の上ＬＥＤ１１〜複数の下ＬＥＤ２０が運転制御回路２２の照度情報に応じた明るさで点灯した状態で撮像されるものであり、使用者は情報端末２９の庫内映像Ｐを視認することで冷蔵室２内の現在の食品の収納状態を遠方に居ながら確認することができる。
【００２６】
液晶表示器３０には、図６に示すように、上キー映像Ｋｕと左キー映像Ｋｌと右キー映像Ｋｒと下キー映像Ｋｄと暗キー映像Ｄと明キー映像Ｌが表示される。これら上キー映像Ｋｕ〜明キー映像Ｌはサーバ３２がサーバ３２に予め記録された画像データを情報端末２９に送信することに応じて情報端末２９に表示されるものであり、庫内映像Ｐと共に庫内映像Ｐの外部に位置して表示される。
【００２７】
上キー映像Ｋｕは庫内映像Ｐの上に表示されるものである。この上キー映像Ｋｕは左右方向に並ぶ複数のＬＥＤの絵柄を有するものであり、上キー映像ＫｕのＬＥＤの絵柄の数は上ＬＥＤ１１の個数と同一に設定されている。この上キー映像Ｋｕには左端に位置して前に相当する（Ｆ）の絵柄が添付され、右端に位置して後に相当する（Ｒ）の絵柄が添付されている。
【００２８】
左キー映像Ｋｌは庫内映像Ｐの左に表示されるものである。この左キー映像Ｋｌは上下方向に並ぶ複数のＬＥＤの絵柄を有するものであり、左キー映像ＫｌのＬＥＤの絵柄の数は左ＬＥＤ１４の個数と同一に設定されている。この左キー映像Ｋｌには上端に位置して前に相当する（Ｆ）の絵柄が添付され、下端に位置して後に相当する（Ｒ）の絵柄が添付されている。
【００２９】
右キー映像Ｋｒは庫内映像Ｐの右に表示されるものである。この右キー映像Ｋｒは上下方向に並ぶ複数のＬＥＤの絵柄を有するものであり、右キー映像ＫｒのＬＥＤの絵柄の数は右ＬＥＤ１７の個数と同一に設定されている。この右キー映像Ｋｒには上端に位置して前に相当する（Ｆ）の絵柄が添付され、下端に位置して後に相当する（Ｒ）の絵柄が添付されている。
【００３０】
下キー映像Ｋｄは庫内映像Ｐの下に表示されるものである。この下キー映像Ｋｄは左右方向に並ぶ複数のＬＥＤの絵柄を有するものであり、下キー映像ＫｄのＬＥＤの絵柄の数は下ＬＥＤ２０の個数と同一に設定されている。この下キー映像Ｋｄには左端に位置して前に相当する（Ｆ）の絵柄が添付され、右端に位置して後に相当する（Ｒ）の絵柄が添付されている。
【００３１】
暗キー映像Ｄは下キー映像Ｋｄの下に表示されるものであり、暗キー映像Ｄが液晶表示器３０のタッチパネルを介してタッチされた場合には情報端末２９から通信回線２８を通して通信制御回路２６に暗コマンドが送信される。明キー映像Ｌは暗キー映像Ｄの右に表示されるものであり、明キー映像Ｌが液晶表示器３０のタッチパネルを介してタッチされた場合には情報端末２９から通信回線２８を通して通信制御回路２６に明コマンドが送信される。これら明キー映像Ｌおよび暗キー映像Ｄのそれぞれはボタンに相当する。
【００３２】
ＣＰＵはステップＳ７で庫内映像データの設定結果を送信すると、ステップＳ８で運転制御回路２２に消灯コマンドを送信する。この運転制御回路２２は消灯コマンドを受信した場合に複数の上ＬＥＤ１１〜複数の下ＬＥＤ２０を消灯状態とするものであり、複数の上ＬＥＤ１１〜複数の下ＬＥＤ２０は撮像カメラ３１で庫内映像Ｐを撮像するために必要な最低時間だけ点灯状態とされる。
【００３３】
ＣＰＵはステップＳ８で消灯コマンドを送信すると、ステップＳ９でＬＥＤ指定コマンドが有るか否かを判断する。このＬＥＤ指定コマンドは上キー映像Ｋｕの複数のＬＥＤの絵柄のうち左からＮ番目の１つがタッチパネルを介してタッチされた場合と左キー映像Ｋｌの複数のＬＥＤの絵柄のうち上からＮ番目の１つがタッチパネルを介してタッチされた場合と右キー映像Ｋｒの複数のＬＥＤの絵柄のうち上からＮ番目の１つがタッチパネルを介してタッチされた場合と下キー映像Ｋｄの複数のＬＥＤの絵柄のうち左からＮ番目の１つがタッチパネルを介してタッチされた場合に情報端末２９から通信回線２８を通して通信制御回路２６に送信されるものであり、ＣＰＵはステップＳ９でＬＥＤ指定コマンドがないと判断した場合にはステップＳ１１へ移行し、ステップＳ９でＬＥＤ指定コマンドが有ると判断した場合にはステップＳ１０でＬＥＤ指定コマンドを自身のＲＡＭに記録してステップＳ１１へ移行する。
【００３４】
ＣＰＵはステップＳ１１へ移行すると、情報端末２９からの暗コマンドまたは明コマンドが有るか否かを判断する。ここで暗コマンドまたは明コマンドが有ると判断した場合にはステップＳ１２で運転制御回路２２のＲＡＭから照度情報を検出し、ステップＳ１３で自身のＲＡＭにＬＥＤ指定コマンドが記録されているか否かを判断する。ここで自身のＲＡＭにＬＥＤ指定コマンドが記録されていると判断した場合にはステップＳ１４の照度情報処理１へ移行し、ＬＥＤ指定コマンドが記録されていないと判断した場合にはステップＳ１５の照度情報処理２へ移行する。
【００３５】
照度情報処理１は照度情報の検出結果を変更するものである。この処理は複数の上ＬＥＤ１１と複数の左ＬＥＤ１４と複数の右ＬＥＤ１７と複数の下ＬＥＤ２０のうちＲＡＭのＬＥＤ指定コマンドに応じたものだけに対して照度を変更することで行われるものであり、暗コマンドを受信した場合には照度が単位量ΔＩｘだけ暗く変更され、明コマンドを受信した場合には照度がΔＩｘだけ明るく変更される。下記１）〜４）はＲＡＭのＬＥＤ指定コマンドに応じていずれのＬＥＤの照度が変更されるかを示すものであり、ＣＰＵは照度情報を変更した場合にはＲＡＭからＬＥＤ指定コマンドを消去する。
１）ＬＥＤ指定コマンドが上キー映像Ｋｕの複数のＬＥＤの絵柄のうち左からＮ番目を指定するものである場合には前からＮ番目の上ＬＥＤ１１に対応する照度が変更される。
２）ＬＥＤ指定コマンドが左キー映像Ｋｌの複数のＬＥＤの絵柄のうち上からＮ番目を指定するものである場合には前からＮ番目の左ＬＥＤ１４に対応する照度が変更される。
３）ＬＥＤ指定コマンドが右キー映像Ｋｒの複数のＬＥＤの絵柄のうち上からＮ番目を指定するものである場合には前からＮ番目の右ＬＥＤ１７に対応する照度が変更される。
４）ＬＥＤ指定コマンドが下キー映像Ｋｄの複数のＬＥＤの絵柄のうち左からＮ番目を指定するものである場合には前からＮ番目の下ＬＥＤ２０に対応する照度が変更される。
【００３６】
照度情報処理２は照度情報の検出結果を変更するものである。この処理は複数の上ＬＥＤ１１と複数の左ＬＥＤ１４と複数の右ＬＥＤ１７と複数の下ＬＥＤ２０の全てに対して１つのＬＥＤ毎に照度を変更することで行われるものであり、暗コマンドを受信した場合には照度がΔＩｘだけ暗く変更され、明コマンドを受信した場合には照度がΔＩｘだけ明るく変更される。
【００３７】
ＣＰＵはステップＳ１４またはＳ１５で照度情報を変更すると、ステップＳ１６で照度情報の変更結果を運転制御回路２２に送信する。この運転制御回路２２は照度情報の変更結果を受信した場合に自信のＲＡＭの照度情報を照度情報の変更結果に書換えるものであり、冷蔵室２が照度情報の書換え後に開放された場合には複数の上ＬＥＤ１１〜複数の下ＬＥＤ２０が照度情報の書換え結果に応じた照度で点灯状態とされる。
【００３８】
ＣＰＵはステップＳ１６で照度情報の変更結果を送信すると、ステップＳ３で運転制御回路２２に点灯コマンドを再送信する。この運転制御回路２２は点灯コマンドを再受信した場合には複数の上ＬＥＤ１１〜複数の下ＬＥＤ２０を照度情報の書換え結果で再び点灯状態とするものであり、使用者が情報端末２９を操作することで照度情報を変更した場合には冷蔵室２内が照度情報の書換え結果に応じて再び照明される。
【００３９】
ＣＰＵはステップＳ３で点灯コマンドを再送信すると、ステップＳ４で撮像カメラ３１を駆動することで冷蔵室２内を再び撮像し、ステップＳ５〜Ｓ７を経てステップＳ８で運転制御回路２２に消灯コマンドを再び送信する。従って、使用者が情報端末２９を操作することで照度情報を変更した場合には冷蔵室２内が照度情報の書換え結果で照明された状態で再び撮像され、情報端末２９に照明状態が変更された庫内映像Ｐが表示される。
【００４０】
上記実施例１によれば次の効果を奏する。
撮像カメラ３１が庫内映像Ｐを撮像する場合の上庫内灯１０と左庫内灯１３と右庫内灯１６と下庫内灯１９のそれぞれの明るさを通信制御回路２６が受信する情報端末２９からの指令の内容に応じて制御した。従って、使用者が情報端末２９を操作することで庫内映像Ｐが撮像される場合の照明を好みの明るさに設定することができるので、食品の収納状況を自分好みの見易い庫内映像Ｐで確認することができる。
【００４１】
運転制御回路２２が情報端末２９からの指令の内容を照度情報として記憶し、冷蔵室２が開放状態とされた場合に上庫内灯１０〜下庫内灯１９のそれぞれを照度情報の記憶結果に応じた明るさで点灯状態としたので、使用者が冷蔵室２を開放した場合に情報端末２９を操作することで設定した好みの明るさで冷蔵室２内が照明される。
【００４２】
撮像カメラ３１が庫内映像Ｐを撮像する場合に上庫内灯１０の複数の上ＬＥＤ１１のうち情報端末２９からの指令の内容に応じたものについて明るさを情報端末２９からの指令の内容に応じて制御した。従って、使用者が情報端末２９を操作することで冷蔵室２の前後方向の一部について明るさを好みで変更することができるので、庫内映像Ｐとして冷蔵室２の前後方向の一部について明るさが変更されたものを取得することができる。この効果は左庫内灯１３と右庫内灯１６と下庫内灯１９についても同様である。
【００４３】
情報端末２９に暗キー映像Ｄおよび明キー映像Ｌを表示したので、使用者が暗キー映像Ｄまたは明キー映像Ｌを間接的にタッチする簡単な操作で上庫内灯１０〜下庫内灯１９の明るさを調整することができる。
【実施例２】
【００４４】
複数の上ＬＥＤ１１と複数の左ＬＥＤ１４と複数の右ＬＥＤ１７と複数の下ＬＥＤ２０のそれぞれはフルカラーＬＥＤから構成されたものである。このフルカラーＬＥＤは赤と緑と青の３つのＬＥＤを１つのパッケージに封印したものであり、運転制御回路２２はＬＥＤ回路２３を制御することで複数の上ＬＥＤ１１〜複数の下ＬＥＤ２０の発光色を１つのＬＥＤ毎に制御する。
【００４５】
運転制御回路２２のＲＡＭには発光色情報が記録されている。この発光色情報は複数の上ＬＥＤ１１と複数の左ＬＥＤ１４と複数の右ＬＥＤ１７と複数の下ＬＥＤ２０のそれぞれに対して１つのＬＥＤ毎に発光色を規定したものであり、運転制御回路２２は左扉４および右扉５の少なくとも一方が閉鎖されていないと判断した場合に複数の上ＬＥＤ１１〜複数の下ＬＥＤ２０を１つのＬＥＤ毎にＲＡＭの発光色情報に応じた発光色で発光状態とし、左扉４および右扉５の双方が閉鎖されていると判断した場合に複数の上ＬＥＤ１１〜複数の下ＬＥＤ２０を消灯状態とする。この運転制御回路２２のＲＯＭには初期色Ｃｉが予め記録されており、初期状態ではＲＡＭの発光色情報の全ての発光色が初期色Ｃｉに設定されることで複数の上ＬＥＤ１１〜複数の下ＬＥＤ２０が初期色Ｃｉで発光状態とされる。
【００４６】
図７の撮像処理は通信制御回路２６のＣＰＵが図５の撮像処理に換えて行うものであり、ＣＰＵはステップＳ３で運転制御回路２２に点灯コマンドを送信し、ステップＳ４で撮像カメラ３１を駆動することで冷蔵室２内を撮像する。そして、ステップＳ５およびＳ６を経てステップＳ７で庫内映像データの設定結果を情報端末２９に送信し、ステップＳ８で運転制御回路２２に消灯コマンドを送信する。
【００４７】
運転制御回路２２は点灯コマンドを受信した場合にＲＡＭから発行色情報を検出し、複数の上ＬＥＤ１１〜複数の下ＬＥＤ２０を１つのＬＥＤ毎に発光色情報の発光色で点灯状態とするものであり、冷蔵室２内は複数の上ＬＥＤ１１〜複数の下ＬＥＤ２０が冷蔵室２の開放時と同一の発光色情報に応じた発光色で点灯した状態で撮像される。
【００４８】
図８の庫内映像Ｐは情報端末２９の液晶表示器３０に庫内映像データの設定結果に応じて表示されるものであり、複数の上ＬＥＤ１１〜複数の下ＬＥＤ２０の発光色に応じた色彩を有している。寒色キー映像Ｃおよび暖色キー映像Ｗは暗キー映像Ｄおよび明キー映像Ｌに換えて表示されるものであり、寒色キー映像Ｃがタッチパネルを介してタッチされた場合には情報端末２９から通信回線２８を通して通信制御回路２６に寒色コマンドが送信され、暖色キー映像Ｗがタッチパネルを介してタッチされた場合には情報端末２９から通信回線２８を通して通信制御回路２６に暖色コマンドが送信される。
【００４９】
ＣＰＵはステップＳ８で消灯コマンドを送信すると、ステップＳ９で情報端末２９からのＬＥＤ指定コマンドが有るか否かを判断する。ここでＬＥＤ指定コマンドが有ると判断した場合にはステップＳ１０でＬＥＤ指定コマンドをＲＡＭに記録してステップＳ２１へ移行し、ＬＥＤ指定コマンドがないと判断した場合にはステップＳ２１へ移行する。
【００５０】
ＣＰＵはステップＳ２１へ移行すると、情報端末２９からの寒色コマンドまたは暖色コマンドが有るか否かを判断する。ここで寒色コマンドまたは暖色コマンドが有ると判断した場合にはステップＳ２２で運転制御回路２２のＲＡＭから発行色情報を検出し、ステップＳ２３で自身のＲＡＭにＬＥＤ指定コマンドが記録されているか否かを判断する。ここで自身のＲＡＭにＬＥＤ指定コマンドが記録されていると判断した場合にはステップＳ２４の発光色情報処理１へ移行し、ＬＥＤ指定コマンドが記録されていないと判断した場合にはステップＳ２５の発光色情報処理２へ移行する。
【００５１】
発光色情報処理１は発光色情報の検出結果を変更するものであり、発光色情報の検出結果が変更された場合にはＲＡＭからＬＥＤ指定コマンドが消去される。この処理は複数の上ＬＥＤ１１と複数の左ＬＥＤ１４と複数の右ＬＥＤ１７と複数の下ＬＥＤ２０のうちＲＡＭのＬＥＤ指定コマンドに応じたものだけに対して発光色情報の発光色を変更することで行われるものであり、寒色コマンドを受信した場合には発光色が１段階だけ寒色の側（青白色の側）に変更され、暖色コマンドを受信した場合には発光色が１段階だけ暖色の側（オレンジ色の側）に変更される。
【００５２】
発光色情報処理２は発光色情報の検出結果を変更するものである。この処理は複数の上ＬＥＤ１１と複数の左ＬＥＤ１４と複数の右ＬＥＤ１７と複数の下ＬＥＤ２０の全てに対してＬＥＤ毎に発光色情報の発光色を変更することで行われるものであり、寒色コマンドを受信した場合には発光色が１段階だけ寒色の側に変更され、暖色コマンドを受信した場合には発光色が１段階だけ暖色の側に変更される。
【００５３】
ＣＰＵはステップＳ２４またはステップＳ２５で発光色情報を変更すると、ステップＳ２６で発光色情報の変更結果を運転制御回路２２に送信する。この運転制御回路２２は発光色情報の変更結果を受信した場合に自信のＲＡＭの発光色情報を発光色情報の変更結果に書換えるものであり、冷蔵室２が発光色情報の書換え後に開放された場合には複数の上ＬＥＤ１１〜複数の下ＬＥＤ２０が発光色情報の書換え結果に応じた発光色で点灯状態とされる。
【００５４】
ＣＰＵはステップＳ２６で発光色情報の変更結果を送信すると、ステップＳ３で運転制御回路２２に点灯コマンドを再送信する。この運転制御回路２２は点灯コマンドを再受信した場合には複数の上ＬＥＤ１１〜複数の下ＬＥＤ２０を発光色情報の書換え結果で再び点灯状態とするものであり、使用者が情報端末２９を操作することで発光色情報を変更した場合には冷蔵室２内が発光色情報の書換え結果に応じて再び照明される。
【００５５】
ＣＰＵはステップＳ３で点灯コマンドを再送信すると、ステップＳ４で撮像カメラ３１を駆動することで冷蔵室２内を再び撮像し、ステップＳ５〜Ｓ７を経てステップＳ８で運転制御回路２２に消灯コマンドを再び送信する。従って、使用者が情報端末２９を操作することで発光色情報を変更した場合には冷蔵室２内が発光色情報の書換え結果で照明された状態で再び撮像され、情報端末２９に照明状態が変更された庫内映像Ｐが表示される。
【００５６】
上記実施例２によれば次の効果を奏する。
撮像カメラ３１が庫内映像Ｐを撮像する場合の上庫内灯１０と左庫内灯１３と右庫内灯１６と下庫内灯１９のそれぞれの発光色を通信制御回路２６が受信する情報端末２９からの指令の内容に応じて制御した。従って、使用者が情報端末２９を操作することで庫内映像Ｐが撮像される場合の照明を好みの色彩に設定することができるので、自分の好みに合った色彩の庫内映像Ｐを取得することができる。
【００５７】
運転制御回路２２が情報端末２９からの指令の内容を発光色情報として記憶し、冷蔵室２が開放状態とされた場合に上庫内灯１０〜下庫内灯１９のそれぞれを発光色情報の記憶結果に応じた発光色で点灯状態としたので、使用者が冷蔵室２を開放した場合に情報端末２９を操作することで設定した好みの発光色で冷蔵室２内が照明される。
【００５８】
撮像カメラ３１が庫内映像Ｐを撮像する場合に上庫内灯１０の複数の上ＬＥＤ１１のうち情報端末２９からの指令の内容に応じたものについて発光色を情報端末２９からの指令の内容に応じて制御した。従って、使用者が情報端末２９を操作することで冷蔵室２の前後方向の一部について発光色を好みで変更することができるので、庫内映像Ｐとして冷蔵室２の前後方向の一部について発光色が変更されたものを取得することができる。この効果は左庫内灯１３と右庫内灯１６と下庫内灯１９についても同様である。
【００５９】
情報端末２９に寒色キー映像Ｃおよび暖色キー映像Ｗを表示したので、使用者が寒色キー映像Ｃまたは暖色キー映像Ｗを間接的にタッチする簡単な操作で上庫内灯１０〜下庫内灯１９の発光色を調整することができる。
【実施例３】
【００６０】
図９の撮像処理は通信制御回路２６のＣＰＵが図７の撮像処理に換えて行うものであり、ＣＰＵはステップＳ３で運転制御回路２２に点灯コマンドを送信し、ステップＳ４〜ステップＳ１１へ移行する。この運転制御回路２２のＲＡＭには照度情報および発光色情報が記録されており、運転制御回路２２は点灯コマンドを受信した場合に複数の上ＬＥＤ１１〜複数の下ＬＥＤ２０をＬＥＤ毎に発光色情報の発光色および照度情報の照度で点灯状態とする。即ち、冷蔵室２内は複数の上ＬＥＤ１１〜複数の下ＬＥＤ２０が発光色情報の発光色および照度情報の照度で点灯した状態で撮像される。
【００６１】
図１０は情報端末２９の液晶表示器３０に庫内映像データの設定結果に応じて表示される庫内映像Ｐであり、庫内映像Ｐは複数の上ＬＥＤ１１〜複数の下ＬＥＤ２０の発光色に応じた色彩および照度に応じた明るさを有している。この液晶表示器３０には庫内映像Ｐと共に暗キー映像Ｄと明キー映像Ｌと寒色キー映像Ｃと暖色キー映像Ｗが表示される。
【００６２】
ＣＰＵはステップＳ１１で情報端末２９からの暗コマンドまたは明コマンドが有ると判断すると、ステップＳ１２で運転制御回路２２のＲＡＭから照度情報を検出し、ステップＳ１３へ移行する。ここで自身のＲＡＭにＬＥＤ指定コマンドが記録されていると判断した場合にはステップＳ１４およびＳ１６を経てステップＳ３に復帰し、ＬＥＤ指定コマンドが記録されていないと判断した場合にはステップＳ１５およびＳ１６を経てステップＳ３に復帰する。
【００６３】
ＣＰＵはステップＳ１１で暗コマンドおよび明コマンドがいずれもないと判断すると、ステップＳ２１で情報端末２９からの寒色コマンドまたは暖色コマンドが有るか否かを判断する。ここで寒色コマンドまたは暖色コマンドが有ると判断した場合にはステップＳ２２で運転制御回路２２のＲＡＭから発行色情報を検出し、ステップＳ２３へ移行する。ここで自身のＲＡＭにＬＥＤ指定コマンドが記録されていると判断した場合にはステップＳ２４およびＳ２６を経てステップＳ３に復帰し、ＬＥＤ指定コマンドが記録されていないと判断した場合にはステップＳ２５およびＳ２６を経てステップＳ３に復帰する。
【００６４】
即ち、情報端末２９の暗キー映像Ｄまたは明キー映像Ｌが操作された場合には複数の上ＬＥＤ１１〜複数の下ＬＥＤ２０の一部の照度または全部の照度が変更され、冷蔵室２内が照度の変更状態で再び撮像されることに応じて情報端末２９に照度が変更された庫内映像Ｐが表示される。情報端末２９の寒色キー映像Ｃまたは暖色キー映像Ｗが操作された場合には複数の上ＬＥＤ１１〜複数の下ＬＥＤ２０の一部の発光色または全部の発光色が変更され、冷蔵室２内が発光色の変更状態で撮像されることに応じて情報端末２９に発光色が変更された庫内映像Ｐが表示される。従って、使用者が庫内映像Ｐを見ながら情報端末２９を操作することで自らの好みに応じた庫内映像Ｐを取得することができる。
【００６５】
上記実施例１および３においては、冷蔵室２が開放された場合には複数の上ＬＥＤ１１と複数の左ＬＥＤ１４と複数の右ＬＥＤ１７と複数の下ＬＥＤ２０を運転制御回路２２の照度情報とは無関係な一定の照度で発光状態とし、撮像カメラ３１で庫内映像Ｐを撮像する場合に運転制御回路２２の照度情報で発光状態としても良い。
【００６６】
上記実施例２および３においては、冷蔵室２が開放された場合には複数の上ＬＥＤ１１と複数の左ＬＥＤ１４と複数の右ＬＥＤ１７と複数の下ＬＥＤ２０を運転制御回路２２の発光色情報とは無関係な発光色で発光状態とし、撮像カメラ３１で庫内映像Ｐを撮像する場合に運転制御回路２２の発光色情報で発光状態としても良い。
【００６７】
上記実施例１〜３においては、冷凍室内または野菜室内または製氷室内を被写体とする庫内映像を撮像カメラ３１によって撮像しても良い。
本発明のいくつかの実施例を説明したが、これらの実施例は、例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は、発明の範囲や要旨に含まれるとともに、特許請求の範囲に記載された発明とその均等の範囲に含まれる。
【符号の説明】
【００６８】
１は冷蔵庫、２は冷蔵室（貯蔵室）、１０は上庫内灯（庫内灯）、１１は上ＬＥＤ（光源）、１３は左庫内灯（庫内灯）、１４は左ＬＥＤ（光源）、１６は右庫内灯（庫内灯）、１７は右ＬＥＤ（光源）、１９は下庫内灯（庫内灯）、２０は下ＬＥＤ（光源）、２２は運転制御回路（制御手段，記憶手段）、２６は通信制御回路（通信手段）、２９は情報端末、３１は撮像カメラ（撮像器）である。
【図１】
2019032159.tif 000003
【図２】
2019032159.tif 000004
【図３】
2019032159.tif 000005
【図４】
2019032159.tif 000006
【図５】
2019032159.tif 000007
【図６】
2019032159.tif 000008
【図７】
2019032159.tif 000009
【図８】
2019032159.tif 000010
【図９】
2019032159.tif 000011
【図１０】
2019032159.tif 000012